(57)【特許請求の範囲】
【請求項１】
モータ本体の前端から出力軸を突出させてなると共に、回路基板上に実装されるモータにおいて、
前記モータ本体には、一端側が前記モータ本体の後端の端子に接続されて外部から所定の電圧を前記モータ本体へ供給するターミナルを有し、このターミナルの他端側に設けられた接地部は、モータ本体の胴部側で後端に近接させて配置させると共に、前記出力軸に対して略直交する方向に弾性力を有し、
弾性材からなる前記ターミナルは、前記モータ本体から前記前端に向けて前記モータ本体の周面に沿うように前記出力軸に対して略平行に延在する第１の部分と、前記第１の部分の前端の折り返しにより形成して、前記後端に向けて延在する第２の部分とを備えたことを特徴とするモータ。
【請求項２】
前記出力軸に、分銅を偏心固定させたことを特徴とする請求項１記載のモータ。
【請求項３】
請求項１又は２記載のモータを備えたことを特徴とする携帯電話。
【発明の詳細な説明】
【０００１】
【発明の属する技術分野】
本発明は、特に、携帯通信機器（例えば携帯電話）に内蔵させて、呼び出し機能の振動発生源として利用される小型のモータ及びそのモータを利用してなる携帯電話に関するものである。
【０００２】
【従来の技術】
従来、このような分野の技術として、実公昭６２−２３２４８号公報や特開平１１−１３６９０１号公報がある。前者の公報によれば、モータブラシに電流を供給するモータ端子は可撓性を有し、この弾性反撥力を積極的に利用する技術が提案されている。また、後者の公報に記載された小型モータ１００は、図６に示すように、携帯電話等の通信機器に対して組み込み易くしたものであり、出力軸１０３には分銅１０４が固定され、モータ１００の胴部１００ａには、前方に延びる通電端子１０２がブラケット１０５を介して固定されている。バネ板からなるこのような通電端子１０２を利用すると、回路基板１０１にモータ１００を固定させる際に、半田付けの必要がなく、生産能率の向上が図られる。
【０００３】
【発明が解決しようとする課題】
しかしながら、前述した従来のモータには、次のような課題が存在している。すなわち、図６に示すように、機器の組立てにおいて、回路基板１０１上にモータ１００を置いた場合、通電端子１０２が斜め前方に延びているので、端子１０２の前端が回路基板１０１に接地することになり、モータ１００の重量バランスからいっても、不安定な状態でモータ１００が回路基板１０１上に置かれることになる。そして、携帯電話等の組立て作業を行う際、携帯電話等の蓋によってモータ１００を上から押さえ込むことが必要であるが、図６の状態で組立て作業が行われると、上方からの押え込み力（矢印参照）によりモータ１００が図面左方へズレ、回路基板１０１上の所定の電気接点１０１ａから端子１０２が外れてしまう虞れがあり、組立て作業性に劣っているといった問題点がある。
【０００４】
本発明は、上述の課題を解決するためになされたもので、特に、モータを機器内に組み込む際、回路基板上で安定して載置させるようにしたモータを提供することを目的とする。また、本発明は、上述した目的を有するモータが組み込まれた携帯電話を提供することをも目的とする。
【０００５】
【課題を解決するための手段】
本発明に係るモータは、モータ本体の前端から出力軸を突出させてなると共に、回路基板上に実装されるモータにおいて、モータ本体には、一端側がモータ本体の後端の端子に接続されて外部から所定の電圧をモータ本体へ供給するターミナルを有し、このターミナルの他端側に設けられた接地部は、モータ本体の胴部側で後端に近接させて配置させると共に、出力軸に対して略直交する方向に弾性力を有し、弾性材からなるターミナルは、モータ本体から前端に向けてモータ本体の周面に沿うように出力軸に対して略平行に延在する第１の部分と、第１の部分の前端の折り返しにより形成して、後端に向けて延在する第２の部分とを備えたことを特徴とする。
【０００６】
このモータにおいては、ターミナルの接地部をモータ本体の胴部側に配置させると同時に、出力軸と対向させるようにモータ本体の後端側に配置させている。この発明は、モータの組み込み時において、回路基板上の所定箇所にターミナルの接地部が導通接触するように、回路基板上にモータが置かれることを意図した創作である。すなわち、回路基板上にモータを置いた場合に、ターミナルに弾性力をもたせている関係上、モータが回路基板上で安定していることが必要となり、これを解決するために、出力軸に対向させるようにターミナルの接地部を、モータ本体の後端近傍に配置させ、回路基板上でモータの支持バランスをとり、モータの据わりを良好にした。また、モータの前方で高速回転する出力軸自体の回転バランスを保つ上でも、モータ本体の後端側にターミナルの接地部をもってくることは、非常に有意義である。更に、弾性材により形成させたターミナルは、モータ本体から前端に向けてモータ本体の周面に沿うように出力軸に対して略平行に延在する第１の部分と、第１の部分の前端から折り返し部分を介して後端に向けて延在する第２の部分とを有する。これにより、モータ本体の後端側に位置するターミナルの接地部に向けて第２の部分を延在させることができ、前述したような効果をもったターミナル構成を可能にする。このような構成によって、簡単な構造で安価にターミナルを形成することができ、結果的に製造コストの低減が図られることになる。
【０００７】
また、前述したモータは、出力軸に、分銅を偏心固定させると好ましい。このような構成を採用した場合、振動モータとして適切に構成させることができ、携帯電話等の通信機器にモータを組み込むことが容易となる。
【０００８】
本発明に係る携帯電話は、モータ本体の前端から出力軸を突出させてなるモータを備えた携帯電話において、モータ本体には、一端側がモータ本体の後端の端子に接続されて外部から所定の電圧をモータ本体へ供給するターミナルを有し、このターミナルの他端側に設けられた接地部は、モータ本体の胴部側で後端に近接させて配置させると共に、出力軸に対して略直交する方向に弾性力を有し、弾性材からなるターミナルは、モータ本体から前端に向けてモータ本体の周面に沿うように出力軸に対して略平行に延在する第１の部分と、第１の部分の前端の折り返しにより形成して、後端に向けて延在する第２の部分とを備えたことを特徴とする。
【０００９】
また、前述した携帯電話は、出力軸に、分銅を偏心固定させると好ましい。このような構成を採用した場合、振動モータとして適切に構成させることができ、携帯電話を適切に振動させることができる。
【００１０】
【発明の実施の形態】
以下、図面を参照しつつ本発明の好適な一実施形態について詳細に説明する。
【００１１】
図１〜図４に示すように、モータ１は、コアードモータからなると共に、直径約４ｍｍで長さ約１０ｍｍの円筒形状の金属製モータケース（胴部）２をもったモータ本体Ａを備え、小型化が図られている。モータケース２の内壁面には、Ｎ，Ｓ極をもった永久磁石からなる固定子が固定され、モータケース２の内部には、鉄芯にコイルが巻かれた回転子が収容されている。この回転子の中心には、軸受で支持された出力軸３が固定され、この出力軸３の先端部は、モータケース２の前端部分を貫通するように延在する。
【００１２】
更に、モータケース２内において、出力軸３の後端には整流子が固定され、この整流子には一対のブラシが摺動接触している。各ブラシには、板状の端子４が固定され、各端子４の後端は、モータケース２の後端に固定されたブラケット５から突出させている。そして、出力軸３の先端部分には、略半円柱状の分銅６がカシメられ、若しくは圧入され、分銅６は、出力軸３に偏心固定されている。従って、出力軸３の回転力で分銅６を振り回すことによって、モータケース２自体を振動させることができる。このような分銅付きモータ１は、携帯用小型無線呼出器や携帯電話等でその筺体を振動させて、利用者に着信を呼びかける場合に利用される。
【００１３】
ここで、モータ本体Ａには、端子４と携帯電話に設けられた回路基板７の所定の電気接点との電気的接続をワンタッチで可能ならしめるためのターミナル８が設けられている。各ターミナル８は、それぞれの端子４に対応して設けられ、外部からの所定の電圧をブラシに印加させるためのものである。各ターミナル８の基端は各端子４に半田Ｓを介してモータ本体Ａに固定されている。そして、ターミナル８は、薄いバネ板から形成され、ターミナル８自体にバネ性をもたせている。
【００１４】
従って、図１に示すように、モータ１を回路基板７上に配置させ、その状態で、図示しない機器の蓋などによって、矢印Ｚ方向にモータ１を上から押さえ込むような組み込み作業が可能になる。この場合、二点鎖線で示すように、ターミナル８が弾性変形し、所定の付勢力をもった状態で、ターミナル８と回路基板７の電気接点との接続が確実になされる。
【００１５】
外部から所定の電圧をモータ本体Ａに供給するターミナル８は、薄いバネ板の加工により形成される。このターミナル８の一端側は、図１及び図５に示すように、モータ本体Ａの後端の端子４に半田Ｓを介して固定される取付け部分１０を有し、この取付け部分１０は、ブラケット５の端面に沿うようにして径方向に延びている。更に、ターミナル８は、この取付け部分１０の下端で前方（分銅６に向かう側）に向けて直角に折り曲げられた第１の部分１１を有し、この第１の部分１１は、モータ本体Ａの前端に向けて、モータケース２の周面に沿うように、出力軸３に対して略平行に延在する。
【００１６】
また、ターミナル８は、第１の部分１１の前端の折り返し部分Ｂを介してモータ本体Ａの後端に向けて延在する第２の部分１２を有する。この第２の部分は、第１の部分１１に対し略平行に延在させる。ターミナル８は、第２の部分１２の後端から外方に向け突出させるように折り曲げた第３の部分１３を有している。更に、第３の部分１３の後端に形成した湾曲部１３ａの頂部には、表面にＡｕメッキ処理がなされた接地部１４が膨出形成され、このような接地部１４によって、回路基板７の所定の電気接点との電気的接続を確実にする。
【００１７】
このようにして形成したターミナル８は、モータケース２の後端において、モータケース２から径方向に突出する脚部１７のスリット１７ａ（図２参照）内に収容され、スリット１７ａから第３の部分１３を露出させている。その結果、取り扱う際に破損し易いターミナル８全体を露出させることなく、電気的接合に必要な部分の目視が容易になり、機器への組み込み作業性の向上が図られる。
【００１８】
このように、ターミナル８の他端側に設けられた接地部１４は、モータ本体Ａのモータケース２（胴部）側で後端に近接させて設けられると共に、出力軸３に対して略直交する方向に弾性力を有することになる。また、このようなターミナル８の採用により、簡単な構造で安価にターミナルを形成することができ、結果的に製造コストの低減が図られることになる。
【００１９】
そして、モータ１を携帯電話等の機器に組み込む際、回路基板７上にモータ１を置くと、モータ１や分銅６の重さにより、第３の部分１３が第１の部分１１に近づくようにターミナル８が変形する。このように、出力軸３に対向させるように、ターミナル８の接地部１４を、モータ本体Ａの後端近傍に配置させることで、回路基板７上におけるモータ１の支持バランスを良好にすることができ、モータ１の据わりが極めて良くなる。更に、モータ１の前方で高速回転する出力軸３自体の回転バランスを保つ上でも、ターミナル８の接地部１４をモータ本体Ａの後端側に配置させることは、有意義である。
【００２０】
なお、モータ本体Ａは、図２及び図３の二点鎖線で示すようにゴム製のホルダ１６によって覆われている。これによって、モータ１が分銅６によって振動する際に、機器の筺体から不必要な振動音が発生しないようにしている。そして、ターミナル８の第３の部分１３は、ホルダ１６に形成したスリット状の溝１６ａを介して外部に露出させている。
【００２１】
【発明の効果】
本発明によるモータは、モータ本体の前端から出力軸を突出させてなると共に、回路基板上に実装されるモータにおいて、モータ本体には、一端側がモータ本体の後端の端子に接続されて外部から所定の電圧をモータ本体へ供給するターミナルを有し、このターミナルの他端側に設けられた接地部は、モータ本体の胴部側で後端に近接させて配置させると共に、出力軸に対して略直交する方向に弾性力を有し、弾性材からなるターミナルは、モータ本体から前端に向けてモータ本体の周面に沿うように出力軸に対して略平行に延在する第１の部分と、第１の部分の前端の折り返しにより形成して、後端に向けて延在する第２の部分とを備えたことにより、モータを機器内に組み込む際、回路基板上でモータを安定して載置させることができる。
【００２２】
また、本発明による携帯電話においては、モータを携帯電話内に組み込む際、回路基板上でモータを安定して載置させることができる。
【図面の簡単な説明】
【図１】本発明に係るモータの一実施形態を示す側面図である。
【図２】図１のモータの底面図である。
【図３】図１のモータの正面図である。
【図４】図１のモータの背面図である。
【図５】本発明のモータに適用させるターミナルを示す斜視図である。
【図６】従来のモータを示す側面図である。
【符号の説明】
１…モータ、２…モータケース（胴部）、３…出力軸、６…分銅、８…ターミナル、１１…第１の部分、１２…第２の部分、１３…第３の部分、１４…接地部、Ａ…モータ本体、Ｂ…折り返し部分。
【図１】
0003737763.tif 000002
【図２】
0003737763.tif 000003
【図３】
0003737763.tif 000004
【図４】
0003737763.tif 000005
【図５】
0003737763.tif 000006
【図６】
0003737763.tif 000007